(57)【要約】【課題】  スズキを代表とする海釣り用の疑似餌付きのルアーを提供する。【解決手段】  板状のプレート(20)と、そのプレート(20)を挟んで固定するルアー本体(30)と、釣り針(40)と、を備えて流線形をなす釣り用ルアーとする。  プレート(20)は、道糸(11)を固定するための道糸用孔(21)を備える。また、道糸用孔(21)の上部付近となる位置へ道糸(11)を引いた場合に水面に軌跡を描く水切り部(22)を備える。  ルアー本体(30)は、道糸用孔(21)側の端面を水切り部(22)側から釣り針(40)側に達する水流抵抗面(35)とする。道糸用孔(21)と水切り部(22)と水流抵抗面(35)との間に、貫通孔たるバランス孔(26)を備える。【選択図】  図４
2014045686.tif 000002
【特許請求の範囲】
【請求項１】
板状のプレートと、  そのプレートを挟んで固定するルアー本体と、  釣り針と、を備えて流線形をなす釣り用ルアーであって、
前記のプレートは、道糸を固定するための道糸用孔を備えるとともに、  道糸用孔の上部付近となる位置へ道糸を引いた場合に水面に軌跡を描く水切り部を備え、
前記のルアー本体は、前記の道糸用孔側の端面を水切り部側から釣り針側に達する水流抵抗面を備えた釣り用ルアー。
【請求項２】
前記のプレートは、道糸用孔と水切り部と水流抵抗面との間に、貫通孔たるバランス孔を備えた請求項１に記載の釣り用ルアー。
【請求項３】
前記のプレートは、プレートの重心付近を挟んだ水切り部の反対側付近へ釣り針を固定するための下部釣り針固定用孔を備えることとした請求項１または請求項２のいずれかに記載の釣り用ルアー。
【請求項４】
前記のプレートは、金属製の板状部材とし、
前記のルアー本体は、釣り用ルアーの長手方向と直角に厚さ方向を位置させてプレートを挟んで固定することとした請求項１から請求項３のいずれかに記載の釣り用ルアー。
【発明の詳細な説明】
【技術分野】
【０００１】
本発明は、スズギを代表とする海釣り用のルアーに関する。
【背景技術】
【０００２】
一般に、ルアーフィッシングは、疑似餌を用いた釣り手法（遊漁、スポーツフィッシング）の一種である、と一般的には認識されている。たとえば、「フライ」と呼ばれる疑似餌を水面に落とし、そのフライを動かすことで水中の魚に対して水面へ虫が落ちたと思わせて、そのフライの釣り針に食い付いた魚を釣り上げる。前述の疑似餌のことを「ルアー」と称する場合もある。
【０００３】
さて、スズキやクロダイなどを目的とした海釣りにおいては、シラサエビなどの餌を撒いておびき寄せる、という手法が使われることが多い。
特許文献１には、撒き餌を撒き餌かごへ入れやすくするとともに、撒き餌かごから不必要に撒き餌が出やすくなってしまうことを防止する撒き餌かごセットが開示されている。
前述のルアーについては、欧米から伝播したという影響もあってか、疑似餌としてのルアーについて、日本の独自性が考慮されていない、という指摘があった。その点を考慮して改善した技術として、特許文献２には、「アクションおよびキャストがしやすい重量バランスを備えたバスルアー用ルアー」が提供されている。
【０００４】
また、水中における動作特性を向上させるため、たとえば釣り人がラインを引かない状態などにおいてもルアーアクションを起こすことができるように、「リップ」と呼ばれる背びれのような部材を備えたルアーも提供されている（特許文献３）。
同趣旨の部材として、「延出部」と呼ばれる部材を備えたルアーも提供されている（特許文献４）。
【先行技術文献】
【特許文献】
【０００５】
【特許文献１】特開２００１−３５２８８１号公報
【特許文献２】特開平０８−１５４５３８号公報
【特許文献３】登録実用新案３１３８５６５号公報
【特許文献４】特許２８０７１８８号公報
【発明の概要】
【発明が解決しようとする課題】
【０００６】
近年、海釣りにおいても、撒き餌を使用する面倒さ、スポーツフィッシングとしての面白さなどを理由として、ルアーを用いた釣りが普及しつつある（図５参照）。
しかし、海釣り、特にスズギを代表とする海釣り用のルアーに関しては、水面に好ましい軌跡を描くことができ、且つ操作しやすいルアーは存在しなかった。例えば、特許文献２から４に開示された技術では、まだ十分ではなかった。
【０００７】
本発明が解決しようとする課題は、水面に好ましい軌跡を描くことができ、且つ操作しやすいルアーを提供することにある。
【課題を解決するための手段】
【０００８】
（第一の発明）
本願における第一の発明は、  板状のプレート(20)と、  そのプレート(20)を挟んで固定するルアー本体(30)と、  釣り針(40)と、を備えて流線形をなす釣り用ルアーに係る。
前記のプレート(20)は、道糸(11)を固定するための道糸用孔(21)を備えるとともに、  道糸用孔(21)の上部付近となる位置へ道糸(11)を引いた場合に水面に軌跡を描く水切り部(22)を備える。
前記のルアー本体(30)は、前記の道糸用孔(21)側の端面を水切り部(22)側から釣り針(40)側に達する水流抵抗面(35)を備える。
【０００９】
（用語説明）
「水切り部(22)」は、面取りしていることが望ましい。
「水流抵抗面(35)」は、ルアー本体(30)の長手方向の断面は曲面として形成することが望ましい。不要な抵抗を減らすことができるからである。
【００１０】
（作用）
プレート(20)に対してルアー本体(30)を挟んで固定し、流線形をなす釣り用ルアーを形成する。プレート(20)の道糸用孔(21)には、竿からの道糸(11)を固定し、釣りを開始する。
釣り人は、道糸(11)に繋がれた釣り竿を手繰って、釣り用ルアーを泳がせる。すると、水流抵抗面(35)が水を押し下げるので、水切り部(22)が水面から上に出る。そして水切り部(22)が水面をかき分け、一本の軌跡を描き出す。
水面に軌跡を描くようにして泳ぐ生物を餌としている魚が吸い寄せられ、釣り針(40)に食い付いた場合には、釣り上げることができる。
【００１１】
（第一の発明のバリエーション１）
第一の発明は、以下のように形成してもよい。
すなわち、プレート(20)において、道糸用孔(21)と水切り部(22)と水流抵抗面(35)との間に、貫通孔たるバランス孔(26)を備えることとしてもよい。
【００１２】
（作用）
釣り人がルアーを手繰り、水切り部(22)が水面から上に出た状態を保っている場合、バランス孔(26)を介して水流が行き来できるため、安定した動きや自然な動きに寄与する。
【００１３】
（第一の発明のバリエーション２）
第一の発明は、以下のように形成してもよい。
すなわち、プレート(20)は、プレート(20)の重心付近を挟んだ水切り部(22)の反対側付近へ釣り針(40)を固定するための下部釣り針固定用孔(25)を備えることとしてもよい。
【００１４】
（作用）
水切り部(22)が形成する水面の軌跡に近い位置へ釣り針(40)を固定しているので、魚が食いつきやすい。
【００１５】
（第一の発明のバリエーション３）
第一の発明は、以下のように形成してもよい。
すなわち、前記のプレート(20)は、金属製の板状部材とし、  前記のルアー本体(30)は、釣り用ルアーの長手方向と直角に厚さ方向を位置させてプレート(20)を挟んで固定することとしてもよい。
【００１６】
「プレート(20)」を形成する金属製板とは、靱性があって簡単に折れたりしない、たとえばステンレス鋼板、銅板などである。厚さは１ミリメートル前後が望ましい。水切り部(22)は薄いほうが水面に描かれる軌跡が細くなるが、細すぎる軌跡は魚からも見にくくなるからである。
【発明の効果】
【００１７】
本願の第一の発明によれば、水面に好ましい軌跡を描くことができ、且つ操作しやすいルアーを提供することができた。
【図面の簡単な説明】
【００１８】
【図１】本発明の実施形態を示す組み立て斜視図である。
【図２】本発明の実施形態を示す側面図および正面図である。
【図３】本発明の実施形態における使用状態を示す斜視図である。
【図４】本発明の実施形態における使用状態を示す側面図である。
【図５】従来技術を示す斜視図である。
【発明を実施するための形態】
【００１９】
以下、本発明の実施形態について図面を参照して説明する。  ここで用いる図は、図1から図４である。
【００２０】
図１および図２に示すのは、金属製板状のプレート２０と、そのプレート２０を挟んで固定する比重の小さいルアー本体３０と、釣り針４０，４１とを備えて流線形をなす釣り用ルアーである。
ルアー本体３０は、プレート２０を左右に二分割した左本体３０Ａおよび右本体３０Ｂから形成されている硬質樹脂の成型品である。釣り用ルアーの長手方向と直角にプレート２０の厚さ方向を位置させ、プレート２０を挟んで固定する。全体の比重は１．０よりもやや大きく、手繰らないと静かに沈んでいく。
【００２１】
ルアー本体３０の左本体３０Ａには、図１に示すように、長手方向の中央付近に位置する円柱形の中央固定用突起３３と、その中央固定用突起３３の下方付近に位置する円柱形の下部固定用突起３４を備えている。右本体３０Ｂには、図示を省略しているが、中央固定用突起３３に対応する内径をなす円筒形の中央固定凹部および下部固定用突起３４に対応する内径をなす円筒形の下部固定用凹部を備えている。
中央固定用突起３３が中央固定凹部に、下部固定用突起３４が下部固定用凹部に、それぞれ挿入されることで、ルアー本体３０はプレート２０を挟んで固定することができる。
【００２２】
ルアー本体３０における道糸用孔２１側の端面は、水切り部２２側から釣り針４０側に達する水流抵抗面３５としている。この水流抵抗面３５は、図２（ａ）に現されているように、側面図で表現される場合には直線として表れる。  また、水流抵抗面３５におけるルアー本体３０の長手方向の断面は、曲面として形成している。
以上のような形状をなすので、釣り人がルアーを手繰ると、水流抵抗面３５がその面に沿って水を押し下げるので、水切り部２２が常に水面上に出るようになる。
【００２３】
プレート２０は、厚さ１ミリメートルのステンレス鋼板をカットしたり、必要な箇所へ孔をあけたりして形成されている。
まず、道糸１１を固定するための道糸用孔２１を備える。そして、その道糸用孔２１の上側に水切り部２２を備える。  また、プレート２０の重心付近を挟んだ水切り部２２の反対側付近へ釣り針４０を固定するための下部釣り針固定用孔２５を備える。
更に、ルアー本体３０の中央固定用突起３３に対応した位置には円形の中央固定用孔２３を、下部固定用突起３４に対応した位置には円形の下部固定用孔２４を、それぞれ備えている。
【００２４】
道糸用孔２１と水切り部２２と水流抵抗面３５との間には、貫通孔たるバランス孔２６を備えている。
釣り人がルアーを手繰り、水切り部２２が水面から上に出た状態を保っている場合、このバランス孔２６を介して水流が行き来できるため、安定した動きや自然な動きに寄与する。
【００２５】
ルアー本体３０において、プレート２０の水切り部２２とは反対側の位置には、後部釣り針固定金具３１を備えている。
ルアー本体３０とプレート２０とで組み上げられた状態における後部釣り針固定金具３１には、後部釣り針４１を、下部釣り針固定用孔２５には、下部釣り針４０を、それぞれ固定する。
また、道糸用孔２１には、釣り竿１０につながる道糸１１を結びつける。以上にて、釣りの準備が完了する。
【００２６】
釣り人が流線形をなす釣り用ルアーを海へ投げ入れて手繰ると、ルアー本体３０の水流抵抗面３５によって、道糸用孔２１の上部付近の水切り部２２が水面上に位置することとなる（図４（ａ）および（ｂ）参照）。
釣り人は、道糸１１に繋がれた釣り竿を手繰って、釣り用ルアーを泳がせる。すると、水面を水切り部２２がかき分け、一本の軌跡を描き出す（図３参照）。
水面に軌跡を描くようにして泳ぐ生物を餌としている魚が吸い寄せられ、下部釣り針４０または後部釣り針４１に食い付いた場合には、釣り上げることができる。
【００２７】
プレート２０が厚さ１ミリメートルのステンレス鋼板であり、水切り部２２には面取りもしてあるので、水切り部２２の描く軌跡を細く保つことができる。また、岩などにぶつかってしまっても簡単には壊れない。
【産業上の利用可能性】
【００２８】
本発明は、釣具、釣用備品または雑貨の製造業、レンタル業などのレジャー産業、および運送業において利用可能性を有する。
【符号の説明】
【００２９】
１０  ；釣り竿                １１  ；道糸
２０  ；プレート              ２１  ；道糸用孔
２２  ；水切り部              ２３  ；中央固定用孔
２４  ；下部固定用孔          ２５  ；下部釣り針固定用孔
２６  ；バランス孔
３０  ；ルアー本体
３０Ａ；左本体                ３０Ｂ；右本体
３１  ；後部釣り針固定金具
３３  ；中央固定用突起        ３４  ；下部固定用突起
３５  ：水流抵抗面
４０  ；下部釣り針            ４１  ；後部釣り針
５０  ；ルアー（従来品）
【図１】
2014045686.tif 000003
【図２】
2014045686.tif 000004
【図３】
2014045686.tif 000005
【図４】
2014045686.tif 000006
【図５】
2014045686.tif 000007